(57)【要約】【目的】大勢の人がファックスやプリンタを共有する場合、必要に応じてプリント出力した文書の内容を第三者に見られないようにする。【構成】画像処理部１とメモリ２と印刷部３とシール部４で構成し、プリンタに転送された印刷データを画像処理部１でドット画像に変換し、それをメモリ２に蓄積する。メモリ２に蓄積したドット画像は、印刷部３に送られてプリント用紙に印刷され、印刷されたプリント用紙はシール部４に搬送される。このとき、ドット画像を解析して印刷データの所定の場所にシール要のマーカがあるかどうかを判定し、それがあるときはシール部４にシール実施の要求信号を発行してプリント用紙をシールする。【選択図】      図１
2004160768.tif 000002
【特許請求の範囲】
【請求項１】
プリント文書を印刷して出力する印刷手段の後段に、
制御符号を検出してシールの要否を判別する判別手段と、
シール紙を所定のタイミングで繰り出す繰出手段と、
繰り出したシール紙をプリント文書に貼り付ける貼付手段と、
を備え、
前記判別手段がシール要を判別したときは、前記印刷手段が出力したプリント文書にシール紙を貼り付けて所定部分をシールすることを特徴とするプリント文書のシール装置。
【請求項２】
前記制御符号をプリント文書の所定場所に記入された画像情報とする請求項１記載のプリント文書のシール装置。
【発明の詳細な説明】
【０００１】
【発明の属する技術分野】
本発明は、ファックスやプリンタから出力した文書をシールして第三者に見られないようにするプリント文書のシール装置に関する。
【０００２】
【発明が解決しようとする課題】
特定の相手から通信文やメールをファックスやパソコンのプリンタに出力して受け取る際、内容によっては第三者に見られると都合の悪い部分もある。
ところが、従来のファックスやプリンタは、プリントした文書をそのままその場に放置するので、会社などで大勢の人がファックスやプリンタを共有する場合、放置されたり、本人に届けられるまでの間に、秘匿すべき部分を第三者に見られてしまうことがある。
【０００３】
そこで本発明は、大勢の人がファックスやプリンタを共有する場合、必要に応じてプリント出力した文書の内容を第三者に見られないようにすることを目的になされたものである。
【０００４】
【課題を解決するための手段】
かかる目的を達成するために、本発明は以下のように構成した。
【０００５】
すなわち、本発明のプリント文書のシール装置は、プリント文書を印刷して出力する印刷手段の後段に、制御符号を検出してシールの要否を判別する判別手段と、シール紙を所定のタイミングで繰り出す繰出手段と、繰り出したシール紙をプリント文書に貼り付ける貼付手段を備えることにより上記目的が達成される。
【０００６】
また、好ましくは、前記制御符号をプリント文書の所定場所に記入された画像情報とする。
【０００７】
【発明の実施の形態】
以下に図面を参照して、本発明の実施の形態について説明する。
【０００８】
図１に、本発明を実施したプリント文書のシール装置の構成図を示す。
プリント文書のシール装置は、画像処理部１とメモリ２と印刷部３とシール部４で構成し、プリンタに転送された印刷データを画像処理部１でドット画像に変換し、それをメモリ２に蓄積する。
メモリ２に蓄積したドット画像は、印刷部３に送られてプリント用紙に印刷され、印刷されたプリント用紙はシール部４に搬送される。
このとき、ドット画像を解析して印刷データの所定の場所にシール要のマーカがあるかどうかを判定し、それがあるときはシール部４にシール実施の要求信号を発行してプリント用紙をシールする。
【０００９】
シール要のマーカは、図２に示すように、ファックスや電子メールの送信原稿の所定の場所に、例えば大きな黒丸や太線を入れたり、シール部分の両サイドを太線で囲むなどして画像情報で表示する。
これにより、送信側にシールの要否を指定するためのボタンなど特別な装置を必要としないので、通常のファックスから送信する原稿に対してもシールの要否を指定できるようになる。
また、このようにドット画像を解析してマーカを検出するのでなく、いったんプリント文書に印刷したマーカを光センサなどを用いて検出してもよい。
この場合、通常のファックスやプリンタから出力したプリント文書を外付けのシール部に入力してシールできるようになる。
【００１０】
図３に、本発明を実施したシール部の概略図を示す。
シール部４は、シール紙ａをライナー（剥離紙）ｂに付着したロール紙４１をスプロケット４２で繰り出す構成で、途中にテンションローラ４３とブレード４４を配置し、図４に示すように、ロール紙４１をブレード４４に当てて折り返すときにシール紙ａをライナーｂから引き剥がし、それを圧着ローラ４５に巻き込んで押圧しながら図の矢印方向に移動するプリント文書ｃに貼り合せる。
【００１１】
シール部４は、シール実施の要求信号を受けたときにスプロケット４２を駆動してシール紙ａをプリント文書ｃに貼布する。
このときのスプロケット４２の駆動タイミングは、プリント文書ｃの搬送経路に設置した通過センサ（不図示）によって検知する。
また、スプロケット４２の駆動は高精度のステップモータ（不図示）を用いて行い、ロール紙４１の繰り出し量をステップモータの回転数で制御し、ステップモータの回転数を駆動パルスの数によって制御する。
【００１２】
ロール紙４１は、定型サイズのシール紙ａを等間隔に並べてライナーｂに付着し、それをロール状に巻いたもので、シール紙ａに粘着剤を塗布してライナーｂに貼り付ける。
粘着剤は、ゴム系、アクリル系、シリコン系などの再剥離タイプのものを使用し、粘着した相手からスムーズに剥がせ、剥がすときに相手を傷付けたり汚したりしないように設計されている。
ライナーｂは、ポリエチレンをラミネートした上質紙にシリコンの剥離処理を施したもので、表面に付着したシール紙ａを簡単に剥がせるようになっている。プリント文書ｃは、図５に示すように、例えば宛先などを記載するヘッダ部の下に通信欄を設ける構成で、通信欄にシール紙ａを貼布して通信文全体をシールする。
【００１３】
シール部４は、図６に示すように、シール紙ａのカット紙をホッパ４６に収納して給紙ローラ４７で繰り出し、それを圧着ローラ４５に巻き込んで押圧しながらプリント文書ｃに貼り合せる構成にしてもよい。
このときの給紙ローラ４７の駆動タイミングは、同様にプリント文書ｃの搬送経路に設置した通過センサ（不図示）によって検知する。
また、この場合のシール紙ａは、裏面に粘着剤を塗布した支持体（表面基材）の表面にシリコンの剥離処理がなされたものである。
【００１４】
本実施例ではプリント文書ｃの所定位置に所定サイズのシール紙ａを貼布して通信文をシールするようになっているが、シール紙ａを任意のサイズに裁断するカッタと、プリント文書ｃの通過位置を任意に検出するセンサと、スプロケット４２の繰り出し量を任意の長さに制御する制御系などを備えて任意の位置に任意のサイズのシール紙ａを貼布してプリント文書ｃの秘匿すべき部分をそれぞれ個別にシールするようにしてもよい。
【００１５】
本発明を実施したプリント文書のシール装置は以上のような構成で、ドット画像を解析してシール要のマーカを検出したときは、プリント文書ｃの通過センサからの信号によってロール紙４１の繰り出しタイミングを検知し、スプロケット４２を回転してロール紙４１を所定の長さだけ繰り出す。
これにより、ロール紙４１がブレード４４で折り返すときシール紙ａがライナーｂから剥がれて前方に押し出され、ブレード４４の下側を通過するプリント文書ｃに合流してプリント文書ｃの所定位置に付着する。
同時に、前方の圧着ローラ４５に巻き込まれてプリント文書ｃと一緒に移動し、移動中に圧着ローラ４５に押圧されてしっかりのり付けされる。
【００１６】
【発明の効果】
以上説明したように、本発明によれば、送信原稿にシール要のマーカを入れることによりファックスやプリンタから出力した文書がシールされるので、大勢の人がファックスやプリンタを共有する場合でも安心してさまざまなメッセージや通信文をファックスやプリンタに出力して受け取ることができるようになる。
【図面の簡単な説明】
【図１】本発明を実施したプリント文書のシール装置の構成図である。
【図２】マーカの形状を示す図である。
【図３】本発明を実施したシール部の概略図である。
【図４】本発明を実施したシール部の要部拡大図である。
【図５】本発明を実施したプリント文書の概略図である。
【図６】本発明を実施したシール部の変形例の概略図である。
【符号の説明】
１            画像処理部
２            メモリ
３            印刷部
４            シール部
４１            ロール紙
４２            スプロケット
４３            テンションローラ
４４            ブレード
４５            圧着ローラ
４６            ホッパ
４７            給紙ローラ
ａ            シール紙
ｂ            ライナー
ｃ            プリント文書
【図１】
2004160768.tif 000003
【図２】
2004160768.tif 000004
【図３】
2004160768.tif 000005
【図４】
2004160768.tif 000006
【図５】
2004160768.tif 000007
【図６】
2004160768.tif 000008